【手続補正書】
【提出日】平成23年8月24日(2011.8.24)
【手続補正１】
【補正対象書類名】明細書
【補正対象項目名】００２８
【補正方法】変更
【補正の内容】
【００２８】
図４は本発明の実施形態によるイルミネータ光ファイバ経路の断面図である。図４の実施形態では、標準的な２０ゲージＡＣＭＩコネクタ４０５が、ほぼ釣鐘状の０．７４９ｍｍ（０.０２９５インチ）、０.５ＮＡ又は０.６３ＮＡ光ファイバ４１０に結合される。光ファイバ４１０は２５ゲージカップリング４１５を介して釣鐘状の伸長した０.６３ＮＡ光ファイバ４２０に結合される。第２のカップリング４２５は光ファイバの配列４３０と光ファイバ４２０を結合する。図４に具体例を示したが、本発明の照明付き硝子体切除プローブを具体化するにあたっては、その他、様々な形態なる光ファイバ・カップリングが使用されるかもしれない。
【手続補正２】
【補正対象書類名】明細書
【補正対象項目名】００３０
【補正方法】変更
【補正の内容】
【００３０】
図５の実施形態では、光ファイバ配列５１０、５１５、５２０、５２５、５３０、５３５、５４０は、直径０．０８７６ｍｍ（０.００３４５インチ）（５３５、５４０）から直径０．１２ｍｍ（０.００４９インチ）（５１０）の範囲のファイバから構成される。光ファイバ５１５、５２０の直径は０．１２ｍｍ（０.００４７インチ）であり、光ファイバ５２５、５３０の直径は０．１０５ｍｍ（０.００４１５インチ）である。この場合、光ファイバ配列５１０、５１５、５２０、５２５、５３０、５３５、５４０は、約６０,５００平方ミクロンの照明可能断面積を提供する。そういうものとして、この構成は約１６ルーメン（カップリングにおいて１００％の効率のＡＨＢＩイルミネータを使用した場合）の発光をし、その全てが硝子体切除プローブの切削端周りに集められる。
【手続補正３】
【補正対象書類名】明細書
【補正対象項目名】００３２
【補正方法】変更
【補正の内容】
【００３２】
図７は本発明の実施形態による照明付き硝子体切除プローブの遠位端の断面図である。図７の実施形態では、スリーブ７５０（如何なるスリーブでも使用可能であるが、本例の場合、厚さ１ミリのポリイミドスリーブ）が硝子体切除プローブ７０５に対しては光ファイバ配列７１０、７１５、７２０、７２５、７３０、７３５、７４０を適所に保持する。スリーブ７５０は光学接着剤などの接着剤を用いて硝子体切除プローブ７０５に固定される。図７の実施形態は又、２３ゲージカニューレを通って適合するように設計される。しかしながら、スリーブ７５０は光ファイバ配列７１０、７１５、７２０、７２５、７３０、７３５、７４０の光ファイバがより小さい直径となる必要がある断面積も引き受けた形となっている。この実施形態では、光ファイバ７１０の直径は０．１０ｍｍ（０.００４１インチ）、光ファイバ７１５、７２０の直径は０．０９９ｍｍ（０.００３９インチ）、光ファイバ７２５、７３０の直径は０．０８９ｍｍ（０.００３５インチ）、光ファイバ７３５、７４０の直径は０．０７４ｍｍ（０.００２９インチ）である。結果としての断面積（約４２,４００ミクロン）は約１１.５の光束を提供することになる（カップリングで１００％効率のＡＨＢＩイルミネータを使用した場合）。図５のように、この光の全てが硝子体切除プローブの切断ポート周囲に集中する。
【手続補正４】
【補正対象書類名】特許請求の範囲
【補正対象項目名】全文
【補正方法】変更
【補正の内容】
【特許請求の範囲】
【請求項１】
カニューレの遠位端に配置された切断ポートを有する、硝子体切除プローブと、
前記切断ポートの近傍で終端し、かつ、前記切断ポートが配置されたカニューレの側部のみで前記カニューレに隣接して配置される、光ファイバの配列と、
を有する、照明付き硝子体切除プローブ。
【請求項２】
前記光ファイバの配列及びカニューレは、２３ゲージよりも大きくないサイズの、第２のカニューレを通って適合するように構成された、請求項１に記載の照明付き硝子体切除プローブ。
【請求項３】
前記光ファイバの配列は、０．０８ｍｍ〜０．１３ｍｍの範囲の直径の７本の光ファイバを有する、請求項２に記載の照明付き硝子体切除プローブ。
【請求項４】
前記光ファイバの配列は、０．０８ｍｍ〜０．１３ｍｍの範囲の直径の光ファイバを有する、請求項１に記載の照明付き硝子体切除プローブ。
【請求項５】
更に、前記硝子体切除プローブの前記カニューレに前記光ファイバを保持するポッティング用部材を有する、請求項１に記載の照明付き硝子体切除プローブ。
【請求項６】
更に、前記硝子体切除プローブの前記カニューレに対して前記光ファイバを保持するスリーブを有する、請求項１に記載の照明付き硝子体切除プローブ。
【請求項７】
前記光ファイバの配列は、０．０５ｍｍ〜０．１３ｍｍの範囲の直径の光ファイバを有する、請求項６に記載の照明付き硝子体切除プローブ。
【請求項８】
更に、前記光ファイバの配列を通過させる開口部を備えて、かつ、前記カニューレに取り付けられた、ハウジングを有する、請求項１に記載の照明付き硝子体切除プローブ。
【請求項９】
前記光ファイバの配列は、前記切断ポート近傍の前記カニューレ周りで半円形パターンに配置された、請求項１に記載の照明付き硝子体切除プローブ。
【請求項１０】
更に、前記光ファイバの配列の一端を光源に接続するカップリングを有する、請求項１に記載の照明付き硝子体切除プローブ。
【請求項１１】
その端部近傍に作業領域が配置された、器具と、
前記器具の前記端部近傍で終端する光ファイバの配列であって、前記光ファイバの配列は、前記光ファイバの配列が前記器具の１つの側のみで前記作業領域に対し照明光を照射するように、前記器具に隣接して配置されるような前記光ファイバの配列と、を有する、照明付き手術器具。
【請求項１２】
前記複数の光ファイバ及び器具は、２３ゲージよりも大きくないサイズのカニューレを通って適合するように構成された、請求項１１に記載の照明付き手術器具。
【請求項１３】
前記複数の光ファイバは、０．０８ｍｍ〜０．１３ｍｍの範囲の直径の光ファイバを有する、請求項１１に記載の照明付き手術器具。
【請求項１４】
更に、前記器具に前記複数の光ファイバを保持するポッティング用部材を有する、請求項１１に記載の照明付き手術器具。
【請求項１５】
更に、前記器具に前記複数の光ファイバを保持するスリーブを有する、請求項１１に記載の照明付き手術器具。
【請求項１６】
前記複数の光ファイバは、０．０５ｍｍ〜０．１３ｍｍの範囲の直径の光ファイバを有する、請求項１５に記載の照明付き手術器具。
【請求項１７】
前記光ファイバの配列は、前記器具の前記作業領域に照準を合わせた照明光を照射するように配置されて、前記照準を合わせた照明光は、前記作業領域の方向を向くように構成された、請求項１１に記載の照明付き手術器具。
【請求項１８】
その端部近傍に作業領域を配する器具であって、前記作業領域は前記器具の端部に対して所定の方向に配置された、前記器具と、
前記器具の前記端部近傍で終端する光ファイバの配列であって、該光ファイバの配列は、前記光ファイバの配列が前記作業領域にのみ照準を合わされた照明光を照射するように前記器具に隣接して配置され、前記照準を合わされた照明光は前記作業領域の方向を向くように構成された前記光ファイバの配列と、を有する、照明付き手術器具。
【請求項１９】
前記複数の光ファイバ及び器具は、２３ゲージよりも大きくないサイズのカニューレを通って適合するように構成された、請求項１８に記載の照明付き手術器具。
【請求項２０】
更に、前記器具に前記複数の光ファイバを保持するポッティング用部材を有する、請求項１８に記載の照明付き手術器具。
【請求項２１】
更に、前記器具に前記複数の光ファイバを保持するスリーブを有する、請求項１８に記載の照明付き手術器具。